(57)【要約】      （修正有）【課題】使用時間が長くて、使用が便利になるカード装置を提供する。【解決手段】保持部材と、前記保持部材に対して回転可能になり、スライド部材と、一端が前記スライド部材に保持される弾性部材とを有する回転部材と、前記保持部材と回転部材とを連接するためのヒンジ構造と、第１対接界面と第２対接界面とが配置される基板とを含み、前記第２対接界面が前記スライド部材に協力し動作できる。回転部材にスライド部材とスライド部材に保持される弾性部材とを有し、スライド部材が前記第２対接界面に協力し動作できる。前記弾性部材の弾性力により、スライド部材と第２対接界面との間の動作が弾性的であり、第２対接界面を保護するとともにカード装置の使用時間が延長できる。【選択図】図１
0003130883.tif 000002
【実用新案登録請求の範囲】
【請求項１】
保持部材と、
前記保持部材に対して回転可能とされ、スライド部材と、一端が前記スライド部材に保持される弾性部材とを有する回転部材と、
前記保持部材と回転部材とを連接するためのヒンジ構造と、
第１対接界面と第２対接界面とが配置される基板と、
を含むカード装置において、
前記第２対接界面が前記スライド部材と協働し動作できることを特徴とするカード装置。
【請求項２】
前記スライド部材には第２対接界面と協働し動作できる凸状部が設けられていることを特徴とする請求項１記載のカード装置。
【請求項３】
前記回転部材は、第２ベース体を有し、該第２ベース体には、前記スライド部材を収容するための折曲溝が形成されることを特徴とする請求項２に記載のカード装置。
【請求項４】
前記スライド部材は、本体部と、該本体部の両端から延出するように形成される延出アームとを有し、前記凸状部が前記本体部から突出するように形成され、前記弾性部材は一端が前記スライド部材の延出アームに保持され、他端が前記第２ベース体に当接することを特徴とする請求項３に記載のカード装置。
【請求項５】
前記保持部材は、第１ベース体を有し、前記基板は前記第１ベース体に取付けられる基部と、前記第２ベース体に取付けられる延出部とを有することを特徴とする請求項３に記載のカード装置。
【請求項６】
前記延出部の末端には上斜面を有する末端部が設けられ、前記凸状部には前記末端部の上斜面に対応した第１接触面が設けられることを特徴とする請求項５に記載のカード装置。
【請求項７】
前記末端部には下斜面も有し、前記凸状部には前記第１接触面に対して傾斜するように形成され、前記末端部の下斜面に対応した第２接触面を有することを特徴とする請求項６に記載のカード装置。
【請求項８】
前記第１対接界面はＳＤカードの標準の対接界面であり、第２対接界面はＵＳＢプラグの対接界面であることを特徴とする請求項１乃至７のいずれかの一項に記載のカード装置。
【考案の詳細な説明】
【技術分野】
【０００１】
本発明は、カード装置に関し、特に、多種の機能を有するカード装置に関するものである。
【背景技術】
【０００２】
従来技術として特許文献１に示すように、従来のカード装置は、一端に形成される第１対接界面と、他端に形成され、前記第１対接界面に対向した第２対接界面と、前記第２対接界面に係合し覆っているカバーと、を含む。第１対接界面はＳＤカードの標準の対接界面であり、第２対接界面はＵＳＢプラグの対接界面である。カード装置の第１対接界面を使用する際に、第１対接界面が第１対接界面を嵌合できる電子設備のＳＤカードの挿入口に挿入されることにより、該カード装置の第１対接界面と電子設備との間に電気的な接続を達成でき、更に、カード装置の第１機能を実現できる。また、第２対接界面を使用する際に、まず、第２対接界面に係合し覆うカバーをカード装置から外すと、第２対接界面を露出させ、第２対接界面が電子設備のＵＳＢソケットの挿入口に挿入することにより、該カード装置の第２対接界面と電子設備との間に電気的な接続を達成でき、更に、カード装置の第２機能を実現できる。
【特許文献１】中国実用新案第２７５５６８３号明細書
【考案の開示】
【考案が解決しようとする課題】
【０００３】
第１機能においてのカード装置を前記電子設備のＳＤカードの挿入口から外そうと思う際に、使用者が前記カバーを押圧し操作することにより、カード装置の第１対接界面を電子設備のＳＤカードの挿入口から外れる。しかしながら、使用時間が長くなると、前記カバーと第２対接界面との間の係合が安定しない恐れがあるので、第１機能においてのカード装置を前記電子設備から外そうと思う際に、前記カバーだけが抜き出されるが、カード装置がまだ電子設備から外れない恐れがあった。また、前記カバーがカード装置の第２対接界面に堅固に係合するので、使用時間が長くなると、カード装置の第２対接界面が損傷する恐れがあるので、カード装置の使用時間の影響が懸念される。上述した欠点を鑑みて、新型のカード装置を開発することが必要である。
【０００４】
本発明は、長い使用時間に耐え、容易に利用可能なカード装置を提供することを目的とする。
【課題を解決するための手段】
【０００５】
本考案のカード装置は、保持部材と、前記保持部材に対して回転可能になり、スライド部材と、一端が前記スライド部材に保持される弾性部材とを有する回転部材と、前記保持部材と回転部材とを連接するためのヒンジ構造と、第１対接界面と第２対接界面とが配置される基板とを含むカード装置であって、前記第２対接界面が前記スライド部材と協働し動作できることを特徴とする。
【考案の効果】
【０００６】
従来技術に比べ、本考案は以下の利点を有する。回転部材にスライド部材とスライド部材に保持される弾性部材とを有し、スライド部材が前記第２対接界面と協働し動作できる、前記弾性部材の弾性力により、スライド部材と第２対接界面との間の動作が弾性的であり、第２対接界面を保護するとともにカード装置の使用時間を延長できる。
【考案を実施するための最良の形態】
【０００７】
以下、図１〜図９を参照すると、本考案のカード装置の好ましい実施形態について、添付図面を参照して説明する。該カード装置１００は、保持部材１と、保持部材１内に固持される基板１２と、保持部材１に対して回転できる回転部材２と、前記保持部材１と回転部材２とを連接するためのヒンジ構造３と、を含む。
【０００８】
前記保持部材１は、第１ベース体１１と、前記第１ベース体１１に係合する第１カバー１３とを含む。第１ベース体１１は第１上壁１１１と第１下壁１１２と左右側壁１１３、１１４とを有する。前記第１上壁には第１凹部１１１１が形成され、その第１凹部１１１１の先端には複数の第１通溝１１１２がそれぞれ並行に離隔配置され、第１凹部１１１１の後端の両側に突出部１１１３がそれぞれ形成される。前記各突出部１１１３の中央には十字形状に形成された第１係合溝１１１４がそれぞれ形成される。前記第１下壁１１２の前記第１通溝１１１２に対応した箇所には、凸状リブ１１２１がそれぞれ形成される。前記左右側壁１１３、１１４には開口１１３１、１１４１がそれぞれ設けられる。
【０００９】
前記第１カバー１３の形状は第１ベース体１１に対応して、第１頂壁１３１と、第１底壁１３２と、両側壁１３３、１３４とを有する。第１頂壁１３１の後端の両側には、前記第１ベース体１１の第１係合溝１１１４に対応した十字形状に形成された通孔１３１１がそれぞれ形成される。前記第１底壁の通孔１３１１の間に対応した箇所には、弧状に形成された斜面１３２１と複数の凸状リブ１３２２とがそれぞれ形成される。前記両側壁１３３、１３４には前記第１ベース体１１の左右側壁１１３、１１４の開口１１３１、１１４１に対応した凹部１３３１、１３４１がそれぞれ形成される。
【００１０】
前記基板１２は前記第１ベース体１１の第１凹部１１１１に保持される基部１２１と、基部１２１から延出するように、前記保持部材１の外方を突出するように形成される延出部１２２とを有し、前記基部１２１は頂面にメモリーチップ１２１１が設けられ、底面に複数の第１導電パッド１２１２が間隔し並設される。前記延出部１２２が矩形形状に形成され、前記基部１２１に連接する一端に弧状に形成された斜面１２２１が形成され、該延出部１２２の底面に複数の第２導電パッド１２２２が並行に離隔配置され、延出部１２２の他端に末端部１２３が形成され、該末端部１２３は面取されることにより、上斜面１２３１と下斜面１２３２とが形成される。また、前記第１導電パッド１２１２と第２導電パッド１２２２とが前記メモリーチップ１２１１に電気的に接続している。
【００１１】
本実施形態においては、前記第１ベース体１１と、基板１２の基部１２１と第１導電パッド１２１２と第１カバー１３とは、第１対接界面を形成し、該第１対接界面はＳＤカードの標準の対接界面である。前記基板１２の延出部１２２と第２導電パッド１２２２とは、第２対接界面を形成し、該第２対接界面はＵＳＢプラグである。
【００１２】
図４乃至図６を参照すると、前記回転部材２は、第２ベース体２１と、該第２ベース体２１に取付けられるスライド部材２２と、前記スライド部材２２に係合するための弾性部材２４（本実施形態においては、スプリング）と、対称的に配置される第２カバー２３とを有する。前記第２ベース体２１は、第２上壁２１１及び第２下壁２１２を含む。前記第２上壁２１１には、その略中央に並行に離隔配置された複数の第２通溝２１１２を有する第２凹部２１１１が形成され、前記第２凹部２１１１には、その先端部の両側に突出部２１１３がそれぞれ形成され、その後端部にスリット２１１６が形成される。前記突出部２１１３は、その略中央に前記保持部材１の第１係合溝１１１４の構造に対応した十字形状に形成された第２係合溝２１１４が形成され、後端に折曲溝２１１７がそれぞれ形成され、前記第２ベース体２１の折曲溝２１１７に隣接する箇所に各位置決め孔２１１８が形成される。
【００１３】
図７を参照すると、前記スライド部材２２は、本体部２２１と、本体部２２１から前向きに延出するように前記第２ベース体２１の折曲溝２１１７に対応し収容される延出アーム２２２と、を有する。凸状部２２１１が前記本体部２２１の略中央から突出するように形成され、該凸状部２２１１は第１接触面２２１２と該第１接触面２２１２に対して傾斜するように形成される第２接触面２２１３とを有する。各延出アーム２２２の末端に後向きに延出するように前記弾性部材２４に係合するための保持柱２２２１がそれぞれ形成される。
【００１４】
図４及び図５を参照すると、前記第２カバー２３は、平板状の第２頂部２３１及び第２底部２３２を有し、第２頂部２３１の先端には、前記第２ベース体２１の第２係合溝２１１４に対応した、十字形状に形成された通孔２３１１が形成され、第２底部２３２には、前記位置決め孔２１１８に係合するための位置決め柱２３２１と、前記スライド部材２２の延出アーム２２２に収容するための保持凹部２３２２とが形成される。
【００１５】
図６を参照すると、前記ヒンジ構造３は、楕円形状に形成された主体部３１と、主体部３１の両側からそれぞれ延出するように形成され、且つ、前記第１係合溝１１１４に係合し収容するための第１係合軸部３２と、前記第２係合溝２１１４に係合し収容するための第２係合軸部３３とを有する。
【００１６】
図１乃至図８を参照すると、取付ける際に、前記弾性部材２４の一端前記スライド部材２２の保持柱２２２１に保持された後に、スライド部材２２を前記第２ベース体２１の折曲溝２１１７内に装着し収容させる。このとき、弾性部材２４の他端が第２ベース体２１の後端に当接し、スライド部材２２の凸状部２２１１が前記第２凹部２１１１に突出している。次に、前記ヒンジ構造３の第１係合軸部３２と第２係合軸部３３とが前記第１ベース体１１の第１係合溝１１１４と第２ベース体２１の第２係合溝２１１４とにそれぞれ係合し収容されることにより、前記ヒンジ構造３を介して第１ベース体１１と第２ベース体２１とを連接させ、前記ヒンジ構造３の第１係合軸部３２と第２係合軸部３３とは自身を軸として回転できる。
【００１７】
次に、前記基板１２を第１ベース体１１と第２ベース体２１とに取付ける。基板１２の基部１２１を第１ベース体１１の第１凹部１１１１内に収容させ、基板１２の延出部１２２を第２ベース体２１の第２凹部２１１１に収容させる。基板１２の上斜面１２３１がスライド部材２２の凸状部２２１１の第１接触面２２１２に当接され、基板１２の第１導電パッド１２１２と第２導電パッド１２２１とは、第１ベース体１１の第１通溝１１１２と第２ベース体２１の第２通溝２１１２とにそれぞれ収容され第１下壁１１２と第２下壁２１２とでそれぞれ露出している。
【００１８】
最後に、前記第１カバー１３と第２カバー２３とが前記第１ベース体１１と第２ベース体２１とにそれぞれ取付けられる。第１カバー１３と第２カバー２３との通孔１３１１、２３１１が前記ヒンジ構造３に係合し、また、前記第１カバー１３の凹部１３３１、１３４１が前記第１ベース体１１の開口１１３１、１１４１にそれぞれ対応して、カード装置１００のスイッチ部材（図示せず）が第１ベース体１１の開口１１４１と第１カバー１３の凹部１３４１との間でスライドできる。
【００１９】
図１乃至図９を参照すると、使用する際に、前記カード装置１００の第１対接界面即ちＳＤカードの標準の対接界面が電子設備のＳＤカードの挿入口（図示せず）に挿入されることにより、カード装置１００と電子設備との間に電気的な接続が実現し、即ち、カード装置１００の第１機能が達成できる。第２対接界面を使用したい場合には、前記回転部材２がヒンジ構造３を回転軸として保持部材１に対して下向きに回転し、この過程において、基板１２の末端部１２３の上斜面１２３１が前記弾性部材２４の弾性力により前記スライド部材２２の第１接触面２２１２から遠離し前記第２対接界面を露出させ、第２対接界面即ちＵＳＢプラグが露出されて電子設備のＵＳＢソケットに挿入されることにより、カード装置１００と電子設備との間に電気的な接続が実現され、即ち、カード装置１００の第２機能が達成できる。また、前記第２対接界面を隠したい場合には、前記回転部材２がヒンジ構造３を回転軸として保持部材１に対して上向きに回転され、この過程において、基板１２の末端部１２３の下斜面１２３２が前記弾性部材２４の弾性力により前記スライド部材２２の第２接触面２２１３に摺動し押圧して、さらに、基板１２の上斜面１２３１が前記スライド部材２２の凸状部２２１１の第１接触面２２１２に当接する。
【００２０】
本実施形態においてのカード装置１００は、回転部材２にスライド部材２２とスライド部材２２に保持される弾性部材２４とを有し、スライド部材２２に前記第２対接界面と協働し動作できる凸状部２２１１が形成され、前記弾性部材２４の弾性力により、凸状部２２１１と第２対接界面との間の動作が弾性的であり、第２対接界面を保護するとともにカード装置１００の使用時間を延長できる。
【００２１】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本発明の請求範囲に属するものとする。
【図面の簡単な説明】
【００２２】
【図１】本考案に係るカード装置の組立斜視図である。
【図２】図１に示すカード装置の他の角度から見た組立斜視図である。
【図３】本考案に係るカード装置の部分の分解斜視図であり、第１カバーと第２カバーが外される分解斜視図である。
【図４】本考案に係るカード装置の部分の分解斜視図であり、第１カバーと第２カバーと基板が外される分解斜視図である。
【図５】図４に示すカード装置の他の角度から見た分解斜視図である。
【図６】本考案に係るカード装置の部分の組立斜視図である。
【図７】本考案に係るカード装置のスライド部材の斜視図である。
【図８】図１に示すカード装置のVIII−VIII線に沿っての断面図である。
【図９】本考案に係るカード装置の回転部材が保持部材に対して回転した組立斜視図である。
【符号の説明】
【００２３】
１  保持部材
２  回転部材
３  ヒンジ構造
１１  第１ベース体
１２  基板
１３  第１カバー
２１  第２ベース体
２２  スライド部材
２３  第２カバー
３１  主体部
３２  第１係合軸部
３３  第２係合軸部
１００  カード装置
１１１  第１壁
１１２  第２壁
１１３  側壁
１１４  側壁
１２１  基部
１２２  延出部
１２３  末端部
１３１  第１頂壁
１３２  第１底壁
１３３  側壁
１３４  側壁
２１１  第２上壁
２１２  第２下壁
２２１  本体部
２２２  延出アーム
２３１  第２頂部
２３２  第２底部
１１１１  第１凹部
１１１２  第１通溝
１１１３  突出部
１１１４  第１係合溝
１１２１  凸状リブ
１１３１  開口
１１４１  開口
１２１１  メモリーチップ
１２１２  第１導電パッド
１２２２  第２導電パッド
１２３１  上斜面
１２３２  下斜面
１３１１  通孔
１３２２  凸状リブ
１３３１  凹部
１３４１  凹部
２１１１  第２凹部
２１１２  第２通溝
２１１３  突出部
２１１４  第２係合溝
２１１７  折曲溝
２１１８  位置決め孔
２２１１  凸状部
２２１２  第１接触面
２２１３  第２接触面
２３１１  通孔
２３２１  位置決め柱
２３２２  保持凹部
【図１】
0003130883.tif 000003
【図２】
0003130883.tif 000004
【図３】
0003130883.tif 000005
【図４】
0003130883.tif 000006
【図５】
0003130883.tif 000007
【図６】
0003130883.tif 000008
【図７】
0003130883.tif 000009
【図８】
0003130883.tif 000010
【図９】
0003130883.tif 000011